(57)【要約】【課題】アクセサリ端末と無線通信接続を確立している無線通信装置から別の無線通信装置へと、プロフィール情報など送受信の対象となる対象データを送信することを、無線通信装置本体への操作を行うことなく可能とする技術を提供する。【解決手段】無線通信端末２００は、無線通信装置３００と近接することでＮＦＣ通信を開始して無線通信装置３００のアドレス情報を受信して無線通信装置１００へ転送する。無線通信端末２００は、無線通信装置１００に対し、無線通信装置３００へプロフィール情報を送信する指示を行う。無線通信装置１００は、近距離無線通信の接続先を無線通信装置３００へ切り替えてプロフィール情報を送信し、近距離無線通信の接続先を無線通信端末２００へ切り替えてプロフィール情報の送信結果を無線通信端末２００へ通知する。無線通信端末２００は、通知をディスプレイ２２２等により報知する。【選択図】図５
2015159424.tif 000002
【特許請求の範囲】
【請求項１】
送受信の対象となる対象データを保持する第１の通信装置と、無線通信端末と、第２の通信装置とを含む通信システムであって、
前記第１の通信装置、前記無線通信端末および前記第２の通信装置は、それぞれ、
近距離無線通信にかかる第１の通信方式に対応した第１の無線通信部と、
自装置の動作を制御するための制御部とを備え、
前記無線通信端末および前記第２の通信装置は、それぞれ、
近距離無線通信にかかる第２の通信方式に対応した第２の無線通信部を備え、
前記無線通信端末は、
前記第１の通信装置と接続するための第１のアドレスを記憶するための記憶部を備え、
前記第１の通信装置、前記無線通信端末および前記第２の通信装置の各制御部は、
他の通信機器との通信接続を確立する接続管理部と、
通信接続が確立された前記他の通信機器とデータを送受信する送受信部とを含み、
前記第１のアドレスに従って前記第１の通信装置と前記第１の通信方式によって通信接続を確立することにより前記第１の通信装置とデータを送受信するよう構成されており、
前記無線通信端末の前記制御部は、
前記接続管理部により前記第２の通信方式に従って前記第２の通信装置と通信接続し、前記第２の通信装置から、前記第２の通信装置と接続するための第２のアドレスを受信し、受信した前記第２のアドレスを前記第１の通信方式により前記第１の通信装置へ送信するアドレス送受信部と、
前記第１の通信装置に対し、前記第２のアドレスに基づき前記第２の通信装置と通信を開始するよう指示する接続指示部と、
前記第１の通信装置と前記第２の通信装置とが互いに通信を開始して前記対象データが当該通信装置間で送受信されたことを検知して、当該検知を報知するための報知制御部とを含み、
前記第１の通信装置の前記制御部は、
前記第１の通信方式に従って前記無線通信端末から前記指示を受信した場合に、前記接続管理部により前記第１の通信方式による通信接続の対象を前記第２の通信装置へと切り替えて、前記第２の通信装置に対して前記第１の通信方式により前記対象データを送信し、前記対象データを送信すると前記第１の通信方式により前記無線通信端末と接続して当該送信したことを前記第１の通信方式により前記無線通信端末へ通知する、通信システム。
【請求項２】
送受信の対象となる対象データを保持する第１の通信装置と、無線通信端末と、第２の通信装置とを含む通信システムの前記無線通信端末であって、
前記第１の通信装置、前記無線通信端末および前記第２の通信装置は、それぞれ、
近距離無線通信にかかる第１の通信方式に対応した第１の無線通信部と、
自装置の動作を制御するための制御部とを備え、
前記無線通信端末および前記第２の通信装置は、それぞれ、
近距離無線通信にかかる第２の通信方式に対応した第２の無線通信部を備え、
前記無線通信端末は、
前記第１の通信装置と接続するための第１のアドレスを記憶するための記憶部を備え、
前記第１の通信装置、前記無線通信端末および前記第２の通信装置の各制御部は、
他の通信機器との通信接続を確立する接続管理部と、
通信接続が確立された前記他の通信機器とデータを送受信する送受信部とを含み、
前記第１のアドレスに従って前記第１の通信装置と前記第１の通信方式によって通信接続を確立することにより前記第１の通信装置とデータを送受信するよう構成されており、
前記無線通信端末の前記制御部は、
前記接続管理部により前記第２の通信方式に従って前記第２の通信装置と通信接続し、前記第２の通信装置から、前記第２の通信装置と接続するための第２のアドレスを受信し、受信した前記第２のアドレスを前記第１の通信方式により前記第１の通信装置へ送信するアドレス送受信部と、
前記第１の通信装置に対し、前記第２のアドレスに基づき前記第２の通信装置と通信を開始するよう指示する接続指示部と、
前記第１の通信装置と前記第２の通信装置とが互いに通信を開始して前記対象データが当該通信装置間で送受信されたことを検知して、当該検知を報知するための報知制御部とを含む、無線通信端末。
【請求項３】
送受信の対象となる対象データを保持する第１の通信装置と、無線通信端末と、第２の通信装置とを含む通信システムの前記第１の通信装置であって、
前記第１の通信装置、前記無線通信端末および前記第２の通信装置は、それぞれ、
近距離無線通信にかかる第１の通信方式に対応した第１の無線通信部と、
自装置の動作を制御するための制御部とを備え、
前記無線通信端末および前記第２の通信装置は、それぞれ、
近距離無線通信にかかる第２の通信方式に対応した第２の無線通信部を備え、
前記無線通信端末は、
前記第１の通信装置と接続するための第１のアドレスを記憶するための記憶部を備え、
前記第１の通信装置、前記無線通信端末および前記第２の通信装置の各制御部は、
他の通信機器との通信接続を確立する接続管理部と、
通信接続が確立された前記他の通信機器とデータを送受信する送受信部とを含み、
前記第１のアドレスに従って前記第１の通信装置と前記第１の通信方式によって通信接続を確立することにより前記第１の通信装置とデータを送受信するよう構成されており、
前記無線通信端末の前記制御部は、
前記接続管理部により前記第２の通信方式に従って前記第２の通信装置と通信接続し、前記第２の通信装置から、前記第２の通信装置と接続するための第２のアドレスを受信し、受信した前記第２のアドレスを前記第１の通信方式により前記第１の通信装置へ送信するアドレス送受信部と、
前記第１の通信装置に対し、前記第２のアドレスに基づき前記第２の通信装置と通信を開始するよう指示する接続指示部と、
前記第１の通信装置と前記第２の通信装置とが互いに通信を開始して前記対象データが当該通信装置間で送受信されたことを検知して、当該検知を報知するための報知制御部とを含み、
前記第１の通信装置の前記制御部は、
前記第１の通信方式に従って前記無線通信端末から前記指示を受信した場合に、前記接続管理部により前記第１の通信方式による通信接続の対象を前記第２の通信装置へと切り替えて、前記第２の通信装置に対して前記第１の通信方式により前記対象データを送信し、前記対象データを送信すると前記第１の通信方式により前記無線通信端末と接続して当該送信したことを前記第１の通信方式により前記無線通信端末へ通知する、第１の通信装置。
【請求項４】
送受信の対象となる対象データを保持する第１の通信装置と、無線通信端末と、第２の通信装置とを含む通信システムであって、
前記第１の通信装置、前記無線通信端末および前記第２の通信装置は、それぞれ、
近距離無線通信にかかる第１の通信方式に対応した第１の無線通信部と、
自装置の動作を制御するための制御部とを備え、
前記無線通信端末および前記第２の通信装置は、それぞれ、
近距離無線通信にかかる第２の通信方式に対応した第２の無線通信部を備え、
前記無線通信端末は、
前記第１の通信装置と接続するための第１のアドレスを記憶するための記憶部を備え、
前記第１の通信装置、前記無線通信端末および前記第２の通信装置の各制御部は、
他の通信機器との通信接続を確立する接続管理部と、
通信接続が確立された前記他の通信機器とデータを送受信する送受信部とを含み、
前記無線通信端末は、
前記第１のアドレスに従って前記第１の通信装置と前記第１の通信方式によって通信接続を確立することにより前記第１の通信装置とデータを送受信するよう構成されており、
前記無線通信端末の前記制御部は、
前記接続管理部により前記第２の通信方式に従って前記第２の通信装置と通信接続し、前記第２の通信装置に対して前記第１のアドレスを送信するアドレス送受信部と、
前記第１の通信装置に対し、前記第２の通信装置と通信を開始するための指示を行う接続指示部と、
前記第１の通信装置と前記第２の通信装置とが互いに通信を開始して前記対象データが当該通信装置間で送受信されたことを検知して、当該検知を報知するための報知制御部とを含み、
前記第２の通信装置の前記送受信部は、
前記接続管理部により前記第１の通信方式による通信接続の対象を前記第１の通信装置として前記第１の通信装置へ前記第１の通信方式により前記対象データを送信し、
前記第１の通信装置の前記送受信部は、前記対象データの受信を完了すると前記第１の通信方式により前記無線通信端末と接続して当該受信が完了したことを前記第２の通信方式により前記無線通信端末へ通知する、通信システム。
【請求項５】
送受信の対象となる対象データを保持する第１の通信装置と、無線通信端末と、第２の通信装置とを含む通信システムの前記無線通信端末であって、
前記第１の通信装置、前記無線通信端末および前記第２の通信装置は、それぞれ、
近距離無線通信にかかる第１の通信方式に対応した第１の無線通信部と、
自装置の動作を制御するための制御部とを備え、
前記無線通信端末および前記第２の通信装置は、それぞれ、
近距離無線通信にかかる第２の通信方式に対応した第２の無線通信部を備え、
前記無線通信端末は、
前記第１の通信装置と接続するための第１のアドレスを記憶するための記憶部を備え、
前記第１の通信装置、前記無線通信端末および前記第２の通信装置の各制御部は、
他の通信機器との通信接続を確立する接続管理部と、
通信接続が確立された前記他の通信機器とデータを送受信する送受信部とを含み、
前記無線通信端末は、
前記第１のアドレスに従って前記第１の通信装置と前記第１の通信方式によって通信接続を確立することにより前記第１の通信装置とデータを送受信するよう構成されており、
前記無線通信端末の前記制御部は、
前記接続管理部により前記第２の通信方式に従って前記第２の通信装置と通信接続し、前記第２の通信装置に対して前記第１のアドレスを送信するアドレス送受信部と、
前記第１の通信装置に対し、前記第２の通信装置と通信を開始するための指示を行う接続指示部と、
前記第１の通信装置と前記第２の通信装置とが互いに通信を開始して前記対象データが当該通信装置間で送受信されたことを検知して、当該検知を報知するための報知制御部とを含む、無線通信端末。
【発明の詳細な説明】
【技術分野】
【０００１】
本開示は、無線通信装置と近距離無線通信で接続されるアクセサリ端末（無線通信端末）、このアクセサリ端末と近距離無線通信により接続される無線通信装置とからなる通信システムに関し、特に、アクセサリ端末を介したデータの送受信の技術に関する。
【背景技術】
【０００２】
携帯電話機などの無線通信装置と近距離無線通信により接続し、無線通信装置と相互にデータを送受信することが可能な小型デバイスが知られている。小型デバイスとしては、例えば腕時計型のデバイスがあり、アクセサリ端末と称されることもある。アクセサリ端末は、無線通信装置とＢｌｕｅｔｏｏｔｈ（登録商標）により接続し、無線通信装置とデータを送受信して、無線通信装置に記憶される音楽データの再生、無線通信装置において受信されたメールの音声読み上げなどの処理を行う。これにより、ユーザは、無線通信装置を、例えば鞄等から取り出さずとも、アクセサリ端末への操作という簡易な操作方法により無線通信装置のデータを利用することができる。
【０００３】
しかし、プロフィール交換など無線通信装置の内部のデータを別の装置に送信する場合、無線通信装置と、他の装置とを無線接続確立する必要がある。そのため、ユーザは、無線通信装置を例えば鞄から取り出して、周辺の通信可能なデバイスの検索、そのデバイスとの接続およびプロフィール情報の送信などの操作を無線通信装置においてする必要がある。
【０００４】
このようなユーザの手間を軽減するため、無線通信装置本体を直接操作することなくアクセサリ端末への操作を介してユーザが他の無線通信装置と情報を送受信させる技術として、例えば特許文献１がある。特開２００７−７４５９８号公報（特許文献１）は、テレビジョン受像機、ビデオカメラ、リモートコマンダからなる通信システムにおいて、ビデオカメラからテレビジョン受像機にデータを送信することをユーザが企図しているものの、テレビジョン受像機がユーザの手の届かない位置に配置され、直接テレビジョン受像機を操作できない状況におけるデータの送受信方法が記載されている。特許文献１によると、予めリモートコマンダにテレビジョン受像機のＢｌｕｅｔｏｏｔｈ（登録商標）アドレスなどの接続用の情報を記憶させ、リモートコマンダをビデオカメラに近づけてＮＦＣ（Near  field  communication）通信によりテレビジョン受像機との接続用の情報をリモートコマンダからビデオカメラへ送信する。ビデオカメラは、リモートコマンダから受信した情報に基づき、テレビジョン受像機と通信接続を確立してテレビジョン受像機とデータを送受信する。
【先行技術文献】
【特許文献】
【０００５】
【特許文献１】特開２００７−７４５９８号公報
【発明の概要】
【発明が解決しようとする課題】
【０００６】
しかし、特許文献１の技術において、リモートコマンダとテレビジョン受像機とが無線通信で接続されていないため、リモートコマンダからテレビジョン受像機に対してビデオカメラの接続用のアドレスを送信することはできない。すなわち、テレビジョン受像機からビデオカメラへの通信を行うことができない。これは、アクセサリ端末を介しても、直接操作を行わない無線通信装置（特許文献１の技術の場合、テレビジョン受像機）から、別の無線通信装置（特許文献１の技術の場合、ビデオカメラ）への通信が行えないこととなる。
【０００７】
したがって、アクセサリ端末と無線通信接続を確立している無線通信装置から別の無線通信装置へと、プロフィール情報など送受信の対象となる対象データを送信することを、無線通信装置本体への操作を行うことなく可能とする技術が必要とされている。
【課題を解決するための手段】
【０００８】
一実施形態に従う通信システムは、送受信の対象となる対象データを保持する第１の通信装置と、無線通信端末と、第２の通信装置とを含むものである。第１の通信装置、無線通信端末および第２の通信装置は、それぞれ、近距離無線通信にかかる第１の通信方式に対応した第１の無線通信部と、自装置の動作を制御するための制御部とを備える。無線通信端末および第２の通信装置は、それぞれ、近距離無線通信にかかる第２の通信方式に対応した第２の無線通信部を備える。無線通信端末は、第１の通信装置と接続するための第１のアドレスを記憶するための記憶部を備える。第１の通信装置、無線通信端末および第２の通信装置の各制御部は、他の通信機器との通信接続を確立する接続管理部と、通信接続が確立された他の通信機器とデータを送受信する送受信部とを含み、第１のアドレスに従って第１の通信装置と第１の通信方式によって通信接続を確立することにより第１の通信装置とデータを送受信するよう構成されている。無線通信端末の制御部は、接続管理部により第２の通信方式に従って第２の通信装置と通信接続し、第２の通信装置から、第２の通信装置と接続するための第２のアドレスを受信し、受信した第２のアドレスを第１の通信方式により第１の通信装置へ送信するアドレス送受信部と、第１の通信装置に対し、第２のアドレスに基づき第２の通信装置と通信を開始するよう指示する接続指示部と、第１の通信装置と第２の通信装置とが互いに通信を開始して対象データが当該通信装置間で送受信されたことを検知して、当該検知を報知するための報知制御部とを含む。第１の通信装置の制御部は、第１の通信方式に従って無線通信端末から指示を受信した場合に、接続管理部により第１の通信方式による通信接続の対象を第２の通信装置へと切り替えて、第２の通信装置に対して第１の通信方式により対象データを送信し、対象データを送信すると第１の通信方式により無線通信端末と接続して当該送信したことを第１の通信方式により無線通信端末へ通知する。
【０００９】
別の実施形態に従うと、送受信の対象となる対象データを保持する第１の通信装置と、無線通信端末と、第２の通信装置とを含む通信システムの無線通信端末が提供される。第１の通信装置、無線通信端末および第２の通信装置は、それぞれ、近距離無線通信にかかる第１の通信方式に対応した第１の無線通信部と、自装置の動作を制御するための制御部とを備える。無線通信端末および第２の通信装置は、それぞれ、近距離無線通信にかかる第２の通信方式に対応した第２の無線通信部を備える。無線通信端末は、第１の通信装置と接続するための第１のアドレスを記憶するための記憶部を備える。第１の通信装置、無線通信端末および第２の通信装置の各制御部は、他の通信機器との通信接続を確立する接続管理部と、通信接続が確立された他の通信機器とデータを送受信する送受信部とを含む。第１のアドレスに従って第１の通信装置と第１の通信方式によって通信接続を確立することにより第１の通信装置とデータを送受信するよう構成されている。無線通信端末の制御部は、接続管理部により第２の通信方式に従って第２の通信装置と通信接続し、第２の通信装置から、第２の通信装置と接続するための第２のアドレスを受信し、受信した第２のアドレスを第１の通信方式により第１の通信装置へ送信するアドレス送受信部と、第１の通信装置に対し、第２のアドレスに基づき第２の通信装置と通信を開始するよう指示する接続指示部と、第１の通信装置と第２の通信装置とが互いに通信を開始して対象データが当該通信装置間で送受信されたことを検知して、当該検知を報知するための報知制御部とを含む。
【００１０】
別の実施形態に従うと、送受信の対象となる対象データを保持する第１の通信装置と、無線通信端末と、第２の通信装置とを含む通信システムの第１の通信装置が提供される。第１の通信装置、無線通信端末および第２の通信装置は、それぞれ、近距離無線通信にかかる第１の通信方式に対応した第１の無線通信部と、自装置の動作を制御するための制御部とを備える。無線通信端末および第２の通信装置は、それぞれ、近距離無線通信にかかる第２の通信方式に対応した第２の無線通信部を備える。無線通信端末は、第１の通信装置と接続するための第１のアドレスを記憶するための記憶部を備える。第１の通信装置、無線通信端末および第２の通信装置の各制御部は、他の通信機器との通信接続を確立する接続管理部と、通信接続が確立された他の通信機器とデータを送受信する送受信部とを含む。第１のアドレスに従って第１の通信装置と第１の通信方式によって通信接続を確立することにより第１の通信装置とデータを送受信するよう構成されている。無線通信端末の制御部は、接続管理部により第２の通信方式に従って第２の通信装置と通信接続し、第２の通信装置から、第２の通信装置と接続するための第２のアドレスを受信し、受信した第２のアドレスを第１の通信方式により第１の通信装置へ送信するアドレス送受信部と、第１の通信装置に対し、第２のアドレスに基づき第２の通信装置と通信を開始するよう指示する接続指示部と、第１の通信装置と第２の通信装置とが互いに通信を開始して対象データが当該通信装置間で送受信されたことを検知して、当該検知を報知するための報知制御部とを含む。第１の通信装置の制御部は、第１の通信方式に従って無線通信端末から指示を受信した場合に、接続管理部により第１の通信方式による通信接続の対象を第２の通信装置へと切り替えて、第２の通信装置に対して第１の通信方式により対象データを送信し、対象データを送信すると第１の通信方式により無線通信端末と接続して当該送信したことを第１の通信方式により無線通信端末へ通知する。
【００１１】
別の実施形態に従うと、送受信の対象となる対象データを保持する第１の通信装置と、無線通信端末と、第２の通信装置とを含む通信システムが提供される。第１の通信装置、無線通信端末および第２の通信装置は、それぞれ、近距離無線通信にかかる第１の通信方式に対応した第１の無線通信部と、自装置の動作を制御するための制御部とを備える。無線通信端末および第２の通信装置は、それぞれ、近距離無線通信にかかる第２の通信方式に対応した第２の無線通信部を備える。無線通信端末は、第１の通信装置と接続するための第１のアドレスを記憶するための記憶部を備える。第１の通信装置、無線通信端末および第２の通信装置の各制御部は、他の通信機器との通信接続を確立する接続管理部と、通信接続が確立された他の通信機器とデータを送受信する送受信部とを含む。無線通信端末は、第１のアドレスに従って第１の通信装置と第１の通信方式によって通信接続を確立することにより第１の通信装置とデータを送受信するよう構成されている。無線通信端末の制御部は、接続管理部により第２の通信方式に従って第２の通信装置と通信接続し、第２の通信装置に対して第１のアドレスを送信するアドレス送受信部と、第１の通信装置に対し、第２の通信装置と通信を開始するための指示を行う接続指示部と、第１の通信装置と第２の通信装置とが互いに通信を開始して対象データが当該通信装置間で送受信されたことを検知して、当該検知を報知するための報知制御部とを含む。第２の通信装置の送受信部は、接続管理部により第１の通信方式による通信接続の対象を第１の通信装置として第１の通信装置へ第１の通信方式により対象データを送信し、第１の通信装置の送受信部は、対象データの受信を完了すると第１の通信方式により無線通信端末と接続して当該受信が完了したことを第２の通信方式により無線通信端末へ通知する。
【００１２】
別の実施形態に従うと、送受信の対象となる対象データを保持する第１の通信装置と、無線通信端末と、第２の通信装置とを含む通信システムの無線通信端末が提供される。第１の通信装置、無線通信端末および第２の通信装置は、それぞれ、近距離無線通信にかかる第１の通信方式に対応した第１の無線通信部と、自装置の動作を制御するための制御部とを備える。無線通信端末および第２の通信装置は、それぞれ、近距離無線通信にかかる第２の通信方式に対応した第２の無線通信部を備える。無線通信端末は、第１の通信装置と接続するための第１のアドレスを記憶するための記憶部を備える。第１の通信装置、無線通信端末および第２の通信装置の各制御部は、他の通信機器との通信接続を確立する接続管理部と、通信接続が確立された他の通信機器とデータを送受信する送受信部とを含む。無線通信端末は、第１のアドレスに従って第１の通信装置と第１の通信方式によって通信接続を確立することにより第１の通信装置とデータを送受信するよう構成されている。無線通信端末の制御部は、接続管理部により第２の通信方式に従って第２の通信装置と通信接続し、第２の通信装置に対して第１のアドレスを送信するアドレス送受信部と、第１の通信装置に対し、第２の通信装置と通信を開始するための指示を行う接続指示部と、第１の通信装置と第２の通信装置とが互いに通信を開始して対象データが当該通信装置間で送受信されたことを検知して、当該検知を報知するための報知制御部とを含む。
【発明の効果】
【００１３】
上記一実施形態によると、アクセサリ端末が、プロフィール交換の対象となる相手側の無線通信装置のアドレスを自装置に通知する。これにより、自装置から相手側の無線通信装置に対して、ユーザが自装置を直接操作することなくアクセサリ端末への操作によりプロフィール等の送受信の対象となる対象データを送信することができ、ユーザの利便性を向上させることができる。
【００１４】
この発明の上記および他の目的、特徴、局面および利点は、添付の図面と関連して理解されるこの発明に関する次の詳細な説明から明らかとなるであろう。
【図面の簡単な説明】
【００１５】
【図１】通信システムの構成を示す図である。
【図２】無線通信装置１００の構成を示すブロック図である。
【図３】無線通信端末２００の構成を示すブロック図である。
【図４】実施の形態１における通信システムの各装置の動作を示すフローチャートである。
【図５】アクセサリ端末を介して無線通信装置間でプロフィール情報を送受信する処理の概略を示す図である。
【図６】実施の形態２の通信システムの動作を示すフローチャートである。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜実施の形態１の通信システムの構成＞
図１は、通信システムの構成を示す図である。図１に示すように、通信システムは、無線通信装置１００と、無線通信端末２００と、無線通信装置３００とを含む。無線通信装置１００と無線通信端末２００と無線通信装置３００とは、それぞれ複数の近距離無線通信方式に対応している。例えば、近距離無線通信方式として、Ｂｌｕｅｔｏｏｔｈ（登録商標）通信、およびＮＦＣ通信に対応している。
【００１８】
無線通信装置１００と無線通信装置３００とは、複数の通信方式に対応している。通信方式としては、ＰＨＳ（Personal  Handy-phone  System）、Ｗ−ＣＤＭＡ（Wideband  Code  Division  Multiple  Access）、ＬＴＥ（Long  Term  Evolution）、ＧＳＭ（登録商標）（global  system  for  mobile  communications）その他の通信方式がある。無線通信装置１００と無線通信装置３００とは、無線基地局と遠距離無線通信を行う。無線通信装置１００と無線通信装置３００とは、画像等を表示するためのディスプレイ１４２と、入力操作を受け付けるための操作受付部１４９と、スピーカ１４８とを備える。無線通信端末２００は、ディスプレイ２２２と、操作受付部２４１とを備える。
【００１９】
無線通信装置１００と無線通信端末２００とは、同一のユーザが使用しており、無線通信装置１００と無線通信端末２００とが近距離無線通信（Ｂｌｕｅｔｏｏｔｈ（登録商標）など）による通信接続を確立して互いにデータを送受信可能である。ユーザは、例えば無線通信装置１００を鞄等に収納し、無線通信端末２００に対して操作を行うことで、無線通信装置１００に記憶される音楽データの受信および無線通信端末２００による再生、無線通信装置１００に記憶されるメールの無線通信端末２００への転送およびメール本文の読みあげなどを行うことができる。すなわち、ユーザは、無線通信装置１００本体に対して指等により入力操作を行うことなく（操作受付部１４９等への操作を行うことなく）、無線通信端末２００への操作によって無線通信装置１００のデータを利用することができる。無線通信端末２００をアクセサリ端末と称することもある。
【００２０】
無線通信装置３００は、無線通信装置１００および無線通信端末２００のユーザとは別のユーザが所有する無線通信装置である。通信システムにおいて、無線通信端末２００は、無線通信装置１００と近距離無線通信により接続するための無線通信装置１００のアドレス情報を記憶している。無線通信装置１００のユーザと無線通信装置３００のユーザとが、連絡先などプロフィール情報を、無線通信端末２００を介して送受信する処理の概要は、以下の通りである。すなわち、無線通信端末２００は、無線通信装置１００との近距離無線通信に使用している通信方式（例えばＢｌｕｅｔｏｏｔｈ（登録商標））とは別の近距離無線通信方式（例えばＮＦＣ）により、無線通信装置３００と接続して無線通信装置３００に無線通信装置１００のアドレス情報を送信し、無線通信装置３００から無線通信装置３００のアドレス情報を受信する。無線通信端末２００は、無線通信装置１００に対し、無線通信装置３００のアドレス情報を送信し、無線通信装置３００と通信を開始するよう指示を送る。無線通信装置１００は、無線通信端末２００から指示を受けると、無線通信端末２００との近距離無線通信（例えばＢｌｕｅｔｏｏｔｈ（登録商標））を切断し、無線通信端末２００から受信したアドレス情報に示される無線通信装置（無線通信装置３００）との通信に切り替えてプロフィール情報等の送受信の対象となる対象データを送信する。無線通信装置１００は、無線通信装置３００とのデータの送受信を完了すると、再び無線通信端末２００と近距離無線通信を確立し、無線通信装置３００とデータを送受信したことを無線通信端末２００へ通知する。無線通信端末２００は、無線通信装置１００からこの通知を受信すると、無線通信装置１００と無線通信装置３００とでデータが送受信されたことを示す報知（例えば、音声、ディスプレイ２２２への表示など）を行う。これにより、ユーザは、無線通信装置１００本体への入力操作を行うことなく、無線通信端末２００への操作によって、無線通信装置１００と無線通信装置３００との間で無線通信装置１００からデータを送信させることができる。
【００２１】
＜構成＞
図２は、無線通信装置１００の構成を示すブロック図である。なお、無線通信装置１００と無線通信装置３００とは、機能的には同一の構成を有するものとするため、以下、無線通信装置１００の機能的な構成を説明し、無線通信装置３００の機能的な構成の説明は繰り返さない。
【００２２】
図２に示すように、無線通信装置１００は、複数の近距離無線通信用のアンテナ（アンテナ１０１、アンテナ１０２）と、各アンテナに対応する近距離無線通信部（第１近距離無線通信部１１１、第２近距離無線通信部１１２）と、遠距離無線通信用のアンテナであるアンテナ１０３と、遠距離無線通信部１１３と、タッチパネル１４１と、ディスプレイ１４２と、電源制御部１４４と、バッテリ１４５と、音声処理部１４６と、マイク１４７と、スピーカ１４８と、操作受付部１４９と、制御部１６０とを含む。
【００２３】
アンテナ１０１とアンテナ１０２とは、近距離無線通信用のアンテナであり、無線通信装置１００が発する信号を電波として放射する。また、アンテナ１０１は、空間から電波を受信して受信信号を第１近距離無線通信部１１１へ与える。アンテナ１０２は、空間から電波を受信して受信信号を第２近距離無線通信部１１２へ与える。本実施形態では、無線通信装置１００は、近距離無線通信規格として、Ｂｌｕｅｔｏｏｔｈ（登録商標）、ＮＦＣに対応するものとするが、この他にＩＥＥＥ（Institute  of  Electrical  and  Electronic  Engineers）８０２．１１などの無線ＬＡＮ規格にも対応する。
【００２４】
第１近距離無線通信部１１１と第２近距離無線通信部１１２とは、無線通信装置１００が他の無線機器と通信するため、アンテナ１０１等を介して信号を送受信するための変復調処理などを行う。第１近距離無線通信部１１１と第２近距離無線通信部１１２とは、チューナー、ＲＳＳＩ（Received  Signal  Strength  Indicator）算出回路、ＣＲＣ（Cyclic  Redundancy  Check）算出回路、高周波回路などを含む通信モジュールである。無線通信装置１００が送受信する無線信号の変復調や周波数変換を行い、受信信号を制御部１６０へ与える。第１近距離無線通信部１１１は、無線通信装置１００がアンテナ１０１によって送受信する無線信号の変復調や周波数変換を行い、受信信号を制御部１６０へ与える。第２近距離無線通信部１１２は、無線通信装置１００がアンテナ１０２によって送受信する無線信号の変復調や周波数変換を行い、受信信号を制御部１６０へ与える。
【００２５】
第１近距離無線通信部１１１は、第１の通信方式に対応した通信モジュールである。第１近距離無線通信部１１１は、第１の通信方式として、例えば、Ｂｌｕｅｔｏｏｔｈ（登録商標）による通信に対応している。第２近距離無線通信部１１２は、第２の通信方式に対応した通信モジュールである。第２近距離無線通信部１１２は、第２の通信方式として、例えば、ＮＦＣ方式による通信に対応している。無線通信装置１００が複数の通信方式に対応する場合、これら通信方式に対応してアンテナと通信用モジュールとを備えてもよい。遠距離無線通信部１１３は、遠距離無線通信用の通信方式に対応しており、例えば、ＬＴＥと、ＵＭＴＳ（Universal  Mobile  Telecommunications  System）などの第３世代移動通信システム（３Ｇ）の通信方式とによる通信に対応している。
【００２６】
タッチパネル１４１は、ユーザの入力操作を受け付ける。タッチパネル１４１は、例えば静電容量方式のものを用いることによってユーザの接触操作を受け付ける。タッチパネル１４１は、ユーザによる入力操作を制御部１６０へ出力する。
【００２７】
ディスプレイ１４２は、メニュー画面においてアイコンや背景画像などを表示し、アプリケーションの動作によって静止画や動画などを表示する。ディスプレイ１４２は、例えばＬＣＤ（Liquid  Crystal  Display）や有機ＥＬ（electroluminescence）ディスプレイによって実現される。
【００２８】
電源制御部１４４は、無線通信装置１００の各回路に対する電力の供給を制御する。電源制御部１４４は、例えば電源制御用ＩＣ（Integrated  Circuit）である。
【００２９】
バッテリ１４５は、無線通信装置１００の各回路を動作させるための電力を供給する供給源である。バッテリ１４５からの電力は、電源制御部１４４の制御に従って各回路へ供給される。
【００３０】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。
【００３１】
マイク１４７は、ユーザによる音声入力を受け付けて、当該音声入力に対応する音声信号を音声処理部１４６へ与える。
【００３２】
スピーカ１４８は、音声処理部１４６から与えられる音声信号を音声に変換して当該音声を無線通信装置１００の外部へ出力する。
【００３３】
操作受付部１４９は、操作キーなどの物理的な入力装置であり、押下などのユーザの入力操作を検出し、ユーザの操作内容を示す信号を制御部１６０へ与える。
【００３４】
記憶部１５０は、例えばフラッシュメモリ等により構成され、無線通信装置１００が使用するデータおよびプログラムを記憶する。
【００３５】
制御部１６０は、記憶部１５０に記憶される制御プログラムを読み込んで実行することにより、無線通信装置１００の動作を制御する。制御部１６０は、例えばアプリケーションプロセッサである。制御部１６０は、プログラムに従って動作することにより、接続管理部１６１と、送受信部１６２と、表示制御部１６３としての機能を発揮する。
【００３６】
接続管理部１６１は、無線通信装置１００が他の通信機器との通信接続を確立する処理を行う。
【００３７】
送受信部１６２は、通信接続が確立された他の通信機器とデータを送受信する処理を行う。
【００３８】
表示制御部１６３は、ディスプレイ１４２へ表示する内容に基づき映像信号を生成してディスプレイ１４２へ映像信号を出力する。
【００３９】
図３は、無線通信端末２００の構成を示すブロック図である。図３に示すように、無線通信端末２００は、複数のアンテナ（アンテナ２０１、アンテナ２０２）と、各アンテナに対応する近距離無線通信部（第１近距離無線通信部２１１、第２近距離無線通信部２１２）と、ディスプレイ２２２と、操作受付部２４１と、電源制御部２４４と、バッテリ２４５と、音声処理部２４６と、マイク２４７と、スピーカ２４８と、記憶部２５０と、制御部２６０とを含む。
【００４０】
アンテナ２０１とアンテナ２０２とは、近距離無線通信用のアンテナであり、無線通信端末２００が発する信号を電波として放射する。また、アンテナ２０１は、空間から電波を受信して受信信号を第１近距離無線通信部２１１へ与える。アンテナ２０２は、空間から電波を受信して受信信号を第２近距離無線通信部２１２へ与える。
【００４１】
第１近距離無線通信部２１１と第２近距離無線通信部２１２とは、無線通信端末２００が他の無線機器と通信するため、アンテナ２０１等を介して信号を送受信するための変復調処理などを行う。第１近距離無線通信部２１１と第２近距離無線通信部２１２とは、チューナー、ＲＳＳＩ算出回路、ＣＲＣ算出回路、高周波回路などを含む通信モジュールである。無線通信端末２００が送受信する無線信号の変復調や周波数変換を行い、受信信号を制御部２６０へ与える。第１近距離無線通信部２１１は、無線通信端末２００がアンテナ２０１によって送受信する無線信号の変復調や周波数変換を行い、受信信号を制御部２６０へ与える。第２近距離無線通信部２１２は、無線通信端末２００がアンテナ２０２によって送受信する無線信号の変復調や周波数変換を行い、受信信号を制御部２６０へ与える。
【００４２】
第１近距離無線通信部２１１は、第１の通信方式に対応した通信モジュールである。第１近距離無線通信部１１１は、第１の通信方式として、例えば、Ｂｌｕｅｔｏｏｔｈ（登録商標）による通信に対応している。第２近距離無線通信部２１２は、第２の通信方式に対応した通信モジュールである。第２近距離無線通信部２１２は、第２の通信方式として、例えば、ＮＦＣ方式による通信に対応している。無線通信端末２００が複数の通信方式に対応する場合、これら通信方式に対応してアンテナと通信用モジュールとを備えてもよい。
【００４３】
操作受付部２４１は、操作キーなどの物理的な入力装置であり、押下などのユーザの入力操作を検出し、ユーザの操作内容を示す信号を制御部２６０へ与える。
【００４４】
ディスプレイ２２２は、例えばＬＣＤや有機ＥＬディスプレイによって実現され、制御部２６０からの映像信号に応じて映像を表示する。
【００４５】
電源制御部２４４は、無線通信端末２００の各回路に対する電力の供給を制御する。電源制御部２４４は、例えば電源制御用ＩＣである。
【００４６】
バッテリ２４５は、無線通信端末２００の各回路を動作させるための電力を供給する供給源である。バッテリ２４５からの電力は、電源制御部２４４の制御に従って各回路へ供給される。
【００４７】
音声処理部２４６は、音声信号の変復調を行う。音声処理部２４６は、マイク２４７から与えられる信号を変調して、変調後の信号を制御部２６０へ与える。また、音声処理部２４６は、音声信号をスピーカ２４８へ与える。音声処理部２４６は、例えば音声処理用のプロセッサによって実現される。
【００４８】
マイク２４７は、ユーザによる音声入力を受け付けて、当該音声入力に対応する音声信号を音声処理部２４６へ与える。
【００４９】
スピーカ２４８は、音声処理部２４６から与えられる音声信号を音声に変換して当該音声を無線通信端末２００の外部へ出力する。
【００５０】
記憶部２５０は、例えばフラッシュメモリ等により構成され、無線通信端末２００が使用するデータおよびプログラムを記憶する。記憶部２５０は、無線通信装置１００と第１の通信方式（例えば、Ｂｌｕｅｔｏｏｔｈ（登録商標））で接続するための無線通信装置１００のアドレスを示す接続先アドレス２５１を記憶する。
【００５１】
制御部２６０は、記憶部２５０に記憶される制御プログラムを読み込んで実行することにより、無線通信端末２００の動作を制御する。制御部２６０は、例えばアプリケーションプロセッサである。制御部２６０は、プログラムに従って動作することにより、接続管理部２６１と、送受信部２６２と、接続指示部２６３と、報知制御部２６４しての機能を発揮する。
【００５２】
接続管理部２６１は、無線通信端末２００が他の通信機器との通信接続を確立する処理を行う。
【００５３】
送受信部２６２は、通信接続が確立された他の通信機器とデータを送受信する処理を行う。
【００５４】
接続指示部２６３は、他の無線通信装置に対し、無線通信端末２００との接続を切断してアドレスに示される他の無線通信装置と通信接続をさせる指示を送信する処理を行う。
【００５５】
報知制御部２６４は、スピーカ２４８、ディスプレイ２２２等により、報知すべき情報を無線通信端末２００の外部へ報知する処理を行う。
【００５６】
＜動作＞
次に、通信システムを構成する無線通信装置１００、無線通信端末２００および無線通信装置３００の動作を説明する。
【００５７】
図４は、実施の形態１における通信システムの各装置の動作を示すフローチャートである。
【００５８】
ステップＳ２０１において、無線通信端末２００は、無線通信装置１００が無線通信装置３００に対して送受信する対象となる対象データ（プロフィール情報など）を無線通信装置１００に送信させるためのユーザの入力操作を受け付ける。無線通信端末２００は、ユーザの入力操作に応じて、無線通信装置１００のプロフィール情報などの対象データを無線通信装置３００へ送信させる送信モードへ移行する。
【００５９】
ステップＳ２０３において、無線通信端末２００と無線通信装置３００とが第２の通信方式（ＮＦＣ）により通信を行う。無線通信端末２００は、無線通信端末２００と無線通信装置３００とが近接することでＮＦＣ通信を開始し、無線通信装置１００の接続先アドレス２５１（例えばＢｌｕｅｔｏｏｔｈ（登録商標）アドレス）を無線通信装置３００へ送信し、無線通信装置３００から無線通信装置３００のアドレス（例えばＢｌｕｅｔｏｏｔｈ（登録商標）アドレス）を受信する。
【００６０】
ステップＳ３０３において、無線通信装置３００は、無線通信端末２００とＮＦＣ通信を行い、無線通信装置３００のアドレスを無線通信端末２００へ送信し、無線通信端末２００から無線通信装置１００のアドレスを受信する。
【００６１】
ステップＳ２０５において、無線通信端末２００は、第１の通信方式（Ｂｌｕｅｔｏｏｔｈ（登録商標））で接続する無線通信装置１００に対し、無線通信装置３００のアドレス情報を通知し、アドレス情報に示される無線通信装置３００に対してプロフィール情報など送受信の対象となる対象データの送信を行うよう無線通信装置１００にコマンドを送信する。
【００６２】
ステップＳ１０５において、無線通信装置１００は、無線通信端末２００から第１の通信方式により無線通信装置３００のアドレス情報およびコマンドを受信して、受信したコマンドを解析し、コマンドに示される指示に従って、アドレス情報に示される装置と接続するよう、第１の通信方式による接続先の機器を切り替える。
【００６３】
ステップＳ１０７において、無線通信装置１００は、第１の通信方式により、無線通信装置３００に対してプロフィール情報など対象データを送信する。
【００６４】
ステップＳ３０７において、無線通信装置３００は、第１の通信方式により、無線通信装置１００から無線通信装置１００のプロフィール情報などの対象データを受信する。
【００６５】
ステップＳ１０９において、無線通信装置１００は、第１の通信方式による無線通信装置３００へのデータの送信処理を行うと、第１の通信方式による接続先の機器を無線通信端末２００へと切り替えて、送信が成功したか失敗したかの送信結果を第１の通信方式によって無線通信端末２００へ通知する。
【００６６】
ステップＳ２０７において、無線通信端末２００は、無線通信装置１００による無線通信装置３００へのプロフィール情報などの対象データの送信が成功したか失敗したかの送信結果を受信して、無線通信装置１００からの通知内容を、ディスプレイ２２２、スピーカ２４８等の手段により報知する。
【００６７】
図５は、アクセサリ端末を介して無線通信装置間でプロフィール情報を送受信する処理の概略を示す図である。図５（Ａ）は、初期状態を示しており、無線通信装置１００と無線通信端末２００とが第１の通信方式（Ｂｌｕｅｔｏｏｔｈ（登録商標））により接続を確立させている状態（ペアリング済みの状態）を示す。図５（Ｂ）は、ユーザが無線通信端末２００を操作して、無線通信装置１００のプロフィール情報を無線通信装置３００へ送信するための入力操作を無線通信端末２００が受け付ける状態を示す。この処理は、図４のステップＳ２０１に対応する。図５（Ｃ）は、無線通信端末２００と無線通信装置３００とが近接することで第２の通信方式（ＮＦＣ）による通信が開始し、無線通信装置１００のアドレス情報を無線通信端末２００から無線通信装置３００へ送信し、無線通信装置３００のアドレス情報を無線通信装置３００から無線通信端末２００へ送信する状態を示す。この処理は、図４のステップＳ２０３およびステップＳ３０３に対応する。図５（Ｄ）は、無線通信端末２００が無線通信装置３００のアドレス情報を第１の通信方式により無線通信装置１００へ送信し、アドレス情報に示される無線通信装置３００に対してプロフィール情報を送信するよう無線通信装置１００へコマンドを送信する状態を示す。この処理は、図４のステップＳ２０５に対応する。図５（Ｅ）は、無線通信装置１００が無線通信端末２００から無線通信装置３００のアドレス情報とコマンドとを受信し、コマンドを解析して第１の通信方式による接続先を無線通信装置３００に切り替えて、第１の通信方式により無線通信装置３００へプロフィール情報を送信する状態を示す。この処理は、図４のステップＳ１０７に対応する。図５（Ｆ）は、無線通信装置１００が第１の通信方式によりプロフィール情報を無線通信装置３００へ送信した送信結果を無線通信端末２００へ通知するため、第１の通信方式による接続先を無線通信端末２００へ切り替えて送信結果を無線通信端末２００へ送信し、無線通信端末２００がその送信結果を報知する状態を示す。この処理は、図４のステップＳ１０９およびステップＳ２０７に対応する。
【００６８】
＜実施の形態１のまとめ＞
実施の形態１の通信システムによると、無線通信装置間でプロフィール情報などのデータを送受信する際、アクセサリ端末から相手側の無線通信装置のＢｌｕｅｔｏｏｔｈ（登録商標）アドレスを、アクセサリ端末を介して自無線通信装置にＢｌｕｅｔｏｏｔｈ（登録商標）通信にて通知することで、自無線通信装置から相手側の無線通信装置に対して、自無線通信装置本体の操作を行うことなくアクセサリ端末の操作のみでプロフィール情報を送信することができ、ユーザの利便性が向上する。
【００６９】
＜実施の形態２＞
次に、別の実施形態にかかる通信システムについて説明する。
【００７０】
実施の形態１の説明では、無線通信端末２００は、他の無線通信装置へプロフィール情報を送信するよう無線通信装置１００へコマンドを送信し、コマンドを受けた無線通信装置１００が無線通信装置３００と通信接続を行っている（ステップＳ２０５、ステップＳ１０５、ステップＳ１０７）。この他に、無線通信端末２００と無線通信装置３００（相手側の無線通信装置）とが近接してアドレス情報の交換を行い、無線通信装置３００（相手側）が起点となって無線通信装置１００と通信してプロフィール情報を送受信することとしてもよい。
【００７１】
図６は、実施の形態２の通信システムの動作を示すフローチャートである。
ステップＳ３０１において、無線通信装置３００は、無線通信装置３００が無線通信装置１００に対して送受信する対象となる対象データ（プロフィール情報など）を無線通信装置３００に送信させるためのユーザの入力操作を受け付ける。無線通信装置３００は、ユーザの入力操作に応じて、無線通信装置３００のプロフィール情報などの対象データを無線通信装置１００へ送信させる送信モードへ移行する。
【００７２】
ステップＳ２０３、ステップＳ３０３までの処理は図４に示す実施の形態１と同様であるため、説明を繰り返さない。
【００７３】
ステップＳ２０６において、無線通信端末２００は、第１の通信方式で接続する無線通信装置１００に対し、無線通信装置３００のアドレス情報を送信し、第１の通信方式により無線通信装置３００からの接続を許可するよう無線通信装置１００にコマンドを送信する。ここで、無線通信装置３００（相手側の装置）から無線通信装置１００（自装置）へと第１の通信方式により無線通信を確立する処理を行うとする。
【００７４】
ステップＳ１０５において、無線通信装置１００は、無線通信端末２００からコマンドを受信すると、コマンドを解析し、解析結果に従って、第１の通信方式による無線通信端末２００との通信接続を終了し、無線通信装置３００からの第１の通信方式による通信接続を許可し、通信接続の確立を待つ。
【００７５】
ステップＳ３０８において、無線通信装置３００は、第１の通信方式により、無線通信装置１００に対して対象データを送信する。
【００７６】
ステップＳ１０８において、無線通信装置１００は、第１の通信方式により、無線通信装置３００からプロフィール情報など対象データを受信する。
【００７７】
ステップＳ１１０において、無線通信装置１００は、第１の通信方式による無線通信装置３００からのデータの受信処理を行うと、受信が成功したか失敗したかの受信結果を第１の通信方式によって無線通信端末２００へ通知する。
【００７８】
ステップＳ２０８において、無線通信端末２００は、無線通信装置１００による無線通信装置３００からのプロフィール情報などの対象データの受信が成功したか失敗したかの受信結果を受信して、無線通信装置１００からの通知内容を、ディスプレイ２２２、スピーカ２４８等の手段により報知する。
【００７９】
＜実施の形態２のまとめ＞
実施の形態２の通信システムによると、無線通信装置間でプロフィール情報などのデータを送受信する際、相手側の無線通信装置が起点となって相手側の無線通信装置と自無線通信装置との通信が開始し、データの送受信結果が自無線通信装置からアクセサリ端末へと通知される。これにより、自無線通信装置本体の操作を行うことなくアクセサリ端末の操作のみでプロフィール情報を送信することができ、ユーザの利便性が向上する。
【００８０】
本発明の通信システムを構成する無線通信装置および無線通信端末は、プロセッサと、その上で実行されるプログラムにより実現される。本発明を実現するプログラムは、通信インタフェースを介してネットワークを利用した送受信等により提供される。
【００８１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００８２】
１００，３００  無線通信装置、１４２  ディスプレイ、１４８  スピーカ、１４９  操作受付部、２００  無線通信端末、２２２  ディスプレイ、２４１  操作受付部。
【図１】
2015159424.tif 000003
【図２】
2015159424.tif 000004
【図３】
2015159424.tif 000005
【図４】
2015159424.tif 000006
【図５】
2015159424.tif 000007
【図６】
2015159424.tif 000008